(57)【要約】      （修正有）【課題】容易に仕切りを取り外すことができるとともに、仕切りの強度を向上させて荷物の量によらず荷物を確実に押さえることができる鞄を提供する。【解決手段】荷物を収納する後のシェルと、該後のシェルにヒンジを介して開閉可能に設けられる前のシェル１３と、該前のシェル１３と後のシェルの少なくとも一方に設けられシェル１３内部を仕切る仕切り手段３０とを備えた鞄１０についてである。仕切り手段３０は、シェル１３の開口を形成する縁１７の任意の位置から対向する位置に掛け渡されるベルト３１と、該ベルト３１に設けられ該ベルト３１の途中部分を着脱可能に分割するバックル３２とを備えている。荷物を押さえる中仕切り３３は、ベルト３１に設けられている。【効果】仕切りの強度を向上することができる。仕切りとベルトを一括して取り付け生産性を向上できる。【選択図】図２
0003204971.tif 000002
【実用新案登録請求の範囲】
【請求項１】
荷物を収納する後のシェルと、該後のシェルにヒンジを介して開閉可能に設けられる前のシェルと、該前のシェルと前記後のシェルの少なくとも一方に設けられ前記シェル内部を仕切る仕切り手段とを備えた鞄において、
前記仕切り手段は、前記シェルの開口を形成する縁の任意の位置から対向する位置に掛け渡されるベルトと、該ベルトに設けられ該ベルトの途中部分を着脱可能に分割するバックルと、前記ベルトに設けられ前記荷物を押さえる中仕切りとを備えていることを特徴とする鞄。
【請求項２】
前記中仕切りは、前記ベルトに一体に縫い付けられていることを特徴とする鞄。
【請求項３】
前記中仕切りは、前記バックル側の端部に該端部を補強する補強ボードが設けられていることを特徴とする請求項１又は請求項２記載の鞄。  
【請求項４】
前記ベルトは前記バックルの近傍に、前記ベルトの長さを調整するベルト長調整部が設けられていることを特徴とする請求項１〜３のいずれか１項記載の鞄。
【請求項５】
前記開口は、正面視で長方形を呈し、
前記中仕切りは、前記バックルを境目にして前記開口の長辺方向で２つに分かれていることを特徴とする請求項１〜４のいずれか１項記載の鞄。
【請求項６】
前記開口は、正面視で長方形を呈し、
前記中仕切りは、前記バックルを境目にして前記開口の短辺方向で２つに分かれていることを特徴とする請求項１〜５のいずれか１項記載の鞄。
【請求項７】
前記ベルトは、２本が平行に並んでいることを特徴とする請求項１〜６のいずれか１項記載の鞄。
【請求項８】
前記ベルトは、２本が交差するように配置され、前記交差部分に１つの前記バックルが設けられていることを特徴とする請求項１〜７のいずれか１項記載の鞄。  
【考案の詳細な説明】
【技術分野】
【０００１】
本考案は、ビジネスや旅行等で持ち運ぶ鞄に関し、特に、内側に仕切りを備えた鞄に関するものである。
【背景技術】
【０００２】
ビジネスや旅行等では、荷物をスーツケース等の鞄に入れて持ち運ぶことがある。スーツケースは後シェルにヒンジを介して前シェルが開閉可能に設けられており、荷物を出し入れする際は、後シェルの背面を床に置いて前シェルを開く機会や、前シェルの前面を床に置いて後シェルを開く機会が多い。
【０００３】
仮に、前シェル及び後シェルに荷物が収納されている状態で、後シェルの背面を床に置いて前シェルを開く際、前シェルの開口に仕切りがあると荷物がこぼれ落ちないので便利である。また、鞄の内側に仕切りがあれば移動時に、荷物が乱れないように抑えられる。このようなシェルの開口に仕切りを備えた鞄が知られている（例えば、特許文献１（図９）参照。）。
【０００４】
図２２に示すように、鞄１００は、後シェル１０１にヒンジを介して前シェル１０３が開閉可能に設けられている。ヒンジはヒンジカバー１０２に覆われている。前シェル１０３の開口には、ヒンジ側から仕切り１０４が延ばされており、仕切り１０４の先端部に２カ所設けられた係止部１０５が、ヒンジの反対側の開口に係止されている。さらに、仕切り１０４の上にベルト１０６が交差するように配置され、交差部には収納される荷物の量に応じてベルト１０６の抑えを調整するバックル１０７が設けられている。ベルト１０６の端部は、前シェル１０３の内壁に設けられている。後シェル１０１も同様である。
【０００５】
荷物を出し入れする際は、まずバックル１０７を外してベルト１０６を外側によけてから、さらに係止部１０５を外して仕切り１０４を上げる。
しかし、ベルト１０６と仕切り１０４をそれぞれ取り外していたのでは手間がかかる。また、鞄１００を閉じる際にベルト１０６の調整が不十分であると、ベルト１０６が鞄１００からはみ出して後シェル１０１と前シェル１０３の合わせ部分に挟まることがある。これらの対策として、次に述べる一般的な技術が知られている。
【０００６】
図２３（ａ）はベルトのみで荷物を押さえる形式の鞄を説明する図であり、シェル１０８の開口にベルト１０９が交差するように設けられ、ベルト１０９の交差部に収納される荷物の量に応じてベルト１０９の抑えを調整するバックル１１０が設けられている。この形式の鞄は、いわゆるワンタッチでベルト１０９を取り外せるが、ベルト１０９の隙間のため荷物を十分に押さえることが難しい。
【０００７】
図２３（ｂ）は仕切りのみで荷物を押さえる形式の鞄を説明する図であり、シェル１１１の開口部の四隅に掛け留め部１１２が設けられ、仕切り１１３の四隅にフック１１４が設けられ、これらのフック１１４が掛け留め部１１２に係止されている。この形式の鞄は仕切りのみを取り外せばよいが、仕切り１１３のみで荷物を抑えているため、多くの荷物を入れると荷物に押されて仕切り１１３がよじれ、荷物がずれるおそれがある。このため、仕切り１１３に多くの荷物であっても確実に押さえつける強度があれば好ましい。
【０００８】
図２３（ｃ）は仕切りをファスナーで開閉する形式の鞄を説明する図であり、シェル１１５の開口にファスナー１１６を介して開閉可能に仕切り１１７が設けられている。この形式の鞄はファスナー１１６のみで仕切り１１７を開閉できるが、荷物が少ない場合は中で荷物が移動する。また、逆に荷物が多い場合は仕切りが押されるが、仕切りのみであるため、荷物を強く押さえつけることが難しい。
【０００９】
以上から、容易に仕切りを取り外すことができるとともに、仕切りの強度を向上させて荷物の量によらず荷物を確実に押さえることができる鞄が望まれる。
【先行技術文献】
【特許文献】
【００１０】
【特許文献１】特開２０１０−３５９６７号公報
【考案の概要】
【考案が解決しようとする課題】
【００１１】
本考案は、容易に仕切りを取り外すことができるとともに、仕切りの強度を向上させて荷物の量によらず荷物を確実に押さえることができる鞄を提供することを課題とする。
【課題を解決するための手段】
【００１２】
請求項１に係る考案は、荷物を収納する後のシェルと、該後のシェルにヒンジを介して開閉可能に設けられる前のシェルと、該前のシェルと前記後のシェルの少なくとも一方に設けられ前記シェル内部を仕切る仕切り手段とを備えた鞄において、前記仕切り手段は、前記シェルの開口を形成する縁の任意の位置から対向する位置に掛け渡されるベルトと、該ベルトに設けられ該ベルトの途中部分を着脱可能に分割するバックルと、前記ベルトに一体に設けられ前記荷物を押さえる中仕切りとを備えていることを特徴とする。
【００１３】
請求項２に係る考案では、中仕切りは、ベルトに一体に縫い付けられていることを特徴とする。
【００１４】
請求項３に係る考案では、中仕切りは、バックル側の端部に該端部を補強する補強ボードが設けられていることを特徴とする。  
【００１５】
請求項４に係る考案では、ベルトはバックルの近傍に、ベルトの長さを調整するベルト長調整部が設けられていることを特徴とする。
【００１６】
請求項５に係る考案では、開口は、正面視で長方形を呈し、中仕切りは、バックルを境目にして開口の長辺方向で２つに分かれていることを特徴とする。
【００１７】
請求項６に係る考案では、開口は、正面視で長方形を呈し、中仕切りは、バックルを境目にして開口の短辺方向で２つに分かれていることを特徴とする。  
【００１８】
請求項７に係る考案では、ベルトは、２本が平行に並んでいることを特徴とする。
【００１９】
請求項８に係る考案では、ベルトは、２本が交差するように配置され、交差部分に１つのバックルが設けられていることを特徴とする。  
【考案の効果】
【００２０】
請求項１に係る考案では、仕切り手段は、シェルの開口を形成する縁の任意の位置から対向する位置に掛け渡されるベルトと、該ベルトに設けられ該ベルトの途中部分を着脱可能に分割するバックルと、ベルトに設けられ荷物を押さえる中仕切りとを備えている。中仕切りはベルトに設けられるので、ベルトを外すだけで中仕切りも同時に取り外すことができる。
【００２１】
さらに、ベルトにバックルが設けられているので、いわゆるワンタッチでバックルを外すことで容易にベルト及び中仕切りを取り外すことができる。さらに、ベルトはシェルの開口を形成する縁の任意の位置から対向する位置に掛け渡されるので、中仕切りを介してベルトで荷物を確実に押さえることができる。さらに、仕切りとベルトを一括して取り付けられるので、生産性を向上できる。
【００２２】
請求項２に係る考案では、中仕切りは、ベルトに一体に縫い付けられているので、仕切りの強度を向上させることができる。結果、荷物をより確実に押さえることができる。
【００２３】
請求項３に係る考案では、中仕切りは、バックル側の端部に該端部を補強する補強ボードが設けられているので、荷物から力を受けやすい中仕切りの端部を補強し、中仕切りの分かれ目付近の荷物も確実に押さえることができる。  
【００２４】
請求項４に係る考案では、ベルトはバックルの近傍に、ベルトの長さを調整するベルト長調整部が設けられているので、荷物の量によらず荷物を確実に押さえることができる。
【００２５】
請求項５に係る考案では、開口は、正面視で長方形を呈する。中仕切りは、バックルを境目にして開口の長辺方向で２つに分かれているので、２つに分かれた中仕切りをいわゆる観音開きのように開くことができ便利である。
【００２６】
請求項６に係る考案では、開口は、正面視で長方形を呈する。中仕切りは、バックルを境目にして開口の短辺方向で２つに分かれているので、２つに分かれた中仕切りを開く際の移動距離を短くできる。  
【００２７】
請求項７に係る考案では、ベルトは、２本が平行に並んでいるので、中仕切りをバランス良く押さえることができる。
【００２８】
請求項８に係る考案では、ベルトは、２本が交差するように配置され、交差部分に１つのバックルが設けられているので、１つのバックルを外すだけでベルト及び中仕切りを容易に取り外すことができる。  
【図面の簡単な説明】
【００２９】
【図１】実施例１に係る鞄の斜視図である。
【図２】図１の２−２線断面図である。
【図３】図２に係る仕切り手段の断面の分解図である。
【図４】図２に係る仕切り手段の正面視の分解図である。
【図５】図２の５部拡大図である。
【図６】本考案に係る鞄の作用図である。
【図７】実施例２に係る鞄の正面図である。
【図８】図７に係る仕切り手段の正面視の分解図である。
【図９】実施例３に係る鞄の正面図である。
【図１０】実施例４に係る鞄の正面図である。
【図１１】実施例５に係る鞄の正面図である。
【図１２】従来の技術の鞄の斜視図である。
【図１３】一般的な仕切りを説明する図である。
【考案を実施するための形態】
【００３０】
本考案を実施するための形態を添付図に基づいて以下に説明する。
【実施例１】
【００３１】
先ず、本考案の実施例１を図面に基づいて説明する。
図１に示すように、鞄１０はスーツケースであり、衣類などの荷物を収納する後のシェル１１と、この後のシェル１１にヒンジを介して開閉可能に取り付けられた前のシェル１３と、後のシェル１１に引き出し可能に設けられた伸縮取っ手１４と、後のシェル１１及び前のシェル１３に設けられたキャスター１５とを備えている。ヒンジはヒンジカバー１２で覆われている。伸縮取っ手１４は、後のシェル１１から引き出されるスライドバー１４ａ、１４ａと、伸縮取っ手１４を引き出した状態にロックするとともに押すことでロックを解除するスイッチ１４ｂとを備える。
【００３２】
キャスター１５の取付位置を後のシェル１１及び前のシェル１３の下部とした場合に、伸縮取っ手１４は後のシェル１１の背面上部に位置しており、伸縮取っ手１４を引き出し、手で把持することで、鞄１０を牽引移動させることができる。また、キャスター１５を地面や床に設置することで、鞄１０を自立させることができる。
【００３３】
後のシェル１１の上部には、伸縮取っ手１４とは別に、持ち運び用の上部把持部１６が、揺動可能、起伏又は引出可能に設けられている。詳しくは、後のシェル１１の開口部に設けられるフレーム２１の上部に、上部把持部１６が設けられている。
【００３４】
なお、上部把持部１６の形状は、実施例の形状に限定されず、固定式であってもよく、手で把持することができれば、他の一般的な取っ手の形状であっても差し支えない。また、実施例では、上部把持部１６をフレーム２１に設けたが、これに限定されず、上部把持部１６を後のシェル１１の上面２２に設け、側部把持部１６を後のシェル１１の側面２３に設けてもよく、さらには、側部把持部１６は無くても差し支えない。
【００３５】
前のシェル１３の開口は、正面視で図縦長の略長方形を呈している。前のシェル１３には、シェル１１、１３内部を仕切る仕切り手段３０が開口の形状に沿って備えられている。なお、便宜上、前のシェル１３に備えられた仕切り手段３０について説明するが、後のシェル１１に備えられた仕切り手段３０も同様の構成である。
【００３６】
図２、図３に示すように、仕切り手段３０は、前のシェル１３を形成する縁１７の任意の位置から対向する位置に掛け渡される位置にベルト３１と、該ベルト３１に設けられ該ベルト３１の途中部分を着脱可能に分割するバックル３２と、ベルト３１に設けられ荷物を押さえる中仕切り３３とを備える。
【００３７】
中仕切り３３は、ベルト３１に縫い付けられている。実施例では、中仕切り３３をベルト３１の全長に渡って縫い付けたが、これに限定されず、中仕切り３３の端部や中間部分等を部分的に縫い付けても差し支えない。このように、中仕切り３３は、ベルト３１に一体に縫い付けられているので、仕切りの強度を向上させることができる。結果、荷物をより確実に押さえることができる。
【００３８】
なお、中仕切り３３のベルト３１への取付は、縫い付けだけに限定されず、ボタン、面ファスナー、紐等によって取り付ける形態であっても差し支えない。
【００３９】
中仕切り３３は、バックル３２側の端部に該端部を補強する補強ボード３４が設けられている。これにより、荷物から力を受けやすい中仕切り３３の端部を補強し、中仕切り３３の分かれ目３３ａ付近の荷物も確実に押さえることができる。
【００４０】
また、中仕切り３３の表側にメッシュ製のポケット３５が設けられ、ポケット３５にはファスナー３５ａが設けられている。このため、中仕切り３３を閉じた状態でファスナー３５ａを開閉することで小物をポケット３５に収納でき、使い勝手を向上させることができる。さらに、メッシュ製のポケット３５にすることで、ファスナー３５ａを開けなくてもポケット３５内を確認できる。
【００４１】
なお、実施例では、ポケット３５をメッシュ製としたが、これに限定されず、ポケット３５内が見えない布製としても差し支えない。
ベルト３１にはバックル３２の近傍に、ベルト３１の長さを調整するベルト長調整部３６が設けられている。ベルト長調整部３６があるので、荷物の量に応じてベルト３１の長さを調整することができる。
【００４２】
ポケット３５は中仕切り３３に重ねられ、この状態で中仕切り３３の外周が縁巻き部材４１で覆われ、重ねた状態で縫われている。縁巻き部材４１により、ポケット３５の一部及び中仕切り３３の外周が補強される。また、ベルト３１は、縁巻き部材４１の逃がし穴４２に通されている。なお、実施例では、縁巻き部材４１に逃がし穴４２を設けたが、これに限定されず、縁巻き部材４１のベルト３１に重なる位置ではベルト３１の表側のみ縁巻き部材４１の生地で覆い、ベルト３１の裏側には縁巻き部材４１の生地が無くても差し支えない。さらには、ベルト３１及び縁巻き部材４１を重ねた状態で折り曲げて中仕切り３３の縁を覆い縫製しても差し支えない。さらには、縁巻き部材４１で中仕切り３３の縁を覆うことができれば、他の一般的な方法であっても差し支えない。
【００４３】
図４に示すように、ベルト３１の裏に中仕切り３３が配置され、中仕切り３３及びベルト３１の表にメッシュ製のポケット３５が配置され、中仕切り３３の外周が縁巻き部材４１で覆われる。
【００４４】
図５に示すように、前のシェル１３の開口の縁１７には、外側にフレーム２３が設けられている。ベルト３１の基端部を、前のシェル１３の開口の縁１７とベルト取付部材３７との間に挟み、締結部材３８をベルト取付部材３７側から通してフレーム２３に締結することで、ベルト３１の基端部が開口の縁１７に取り付けられる。なお、ベルト３１の基端部の取付構造は、実施例に限定されず、ねじ止め、リベット止め、縫製等、ベルト３１を縁１７に取り付けることができれば、他の取付構造であっても差し支えない。
【００４５】
以上の述べた鞄１０の作用を次に説明する。
図６（ａ）に示すように、ベルト長調整部３６によりベルト３１の長さは短く設定されている。
図６（ｂ）に示すように、荷物５１を出し入れする際、前のシェル１３の背面を床に置く。バックル３２が切り離された状態で、前のシェル１３に少ない荷物５１が収納されている。
図６（ｃ）に示すように、バックル３２を繋げると、ベルト３１が短く設定されているので、ベルト３１及び中仕切り３３で少ない荷物５１を適切に押さえることができる。
【００４６】
図６（ｄ）に示すように、ベルト長調整部３６によりベルト３１の長さは長く設定されている。
図６（ｅ）に示すように、バックル３２が切り離された状態で、前のシェル１３に多くの荷物５１が収納されている。
図６（ｆ）に示すように、バックル３２を繋げると、ベルト３１が長く設定されているので、ベルト３１及び中仕切り３３で多くの荷物５１を適切に押さえることができる。
【００４７】
このように、ベルト３１はバックル３２の近傍に、ベルト３１の長さを調整するベルト長調整部３６が設けられているので、荷物５１の量によらず荷物５１を確実に押さえることができる。また、中仕切り３３はベルト３１に設けられるので、バックル３２を切り離し、ベルト３１を外すだけで中仕切り３３も同時に開くことができる。さらに、ベルト３１にバックル３２が設けられているので、いわゆるワンタッチでバックル３２を外すことで容易にベルト３１を外し中仕切り３３を開くことができる。
【００４８】
図１、図６に示すように、ベルト３１は前のシェル１３の開口を形成する縁１７の任意の位置から対向する位置に掛け渡される。このため、中仕切り３３を介してベルト３１で荷物を確実に押さえることができる。
【００４９】
前のシェル１３の開口は、正面視で長方形を呈しており、中仕切り３３は、バックル３２を境目にして開口の長辺方向で２つに分かれている。２つに分かれた中仕切り３３をいわゆる観音開きのように開くことができ便利である。また、ベルト３１は、２本が平行に並んでいるので、中仕切り３３をバランス良く押さえることができる。
【実施例２】
【００５０】
次に、本考案の実施例２を図面に基づいて説明する。なお、実施例２〜実施例５におて、図１に示した構成と同一構成については同一符号を付け、詳細説明は省略する。
図７、図８に示すように、ベルト３１は、２本が交差するように配置されている。このベルト３１の交差部分に１つのバックル３２が設けられている。
【００５１】
交差するベルト３１の裏に中仕切り３３が配置され、中仕切り３３及びベルト３１の表にメッシュ製のポケット３５が配置され、中仕切り３３の外周が縁巻き部材４１で覆われる。ベルト３１は、２本が交差するように配置され、交差部分に１つのバックル３２が設けられているので、１つのバックル３２を外すだけでベルト３１及び中仕切り３３を容易に取り外すことができる。
【実施例３】
【００５２】
次に、本考案の実施例３を図面に基づいて説明する。
図９（ａ）に示すように、ベルト３１は、前のシェル１３の開口の縁１７の任意の位置からバックル３２の着脱部分までそれぞれ平行に延びる２本の平行ベルト部３１ａと、縁１７の任意の位置からバックル３２の着脱部分までに２本が交差するように配置されている交差ベルト部３１ｂとを備えている。このような構成にすることで、２つに分かれた矩形の中仕切り３３における対角線方向の強度を向上させることができる。結果、荷物を確実に押さえることができる。
【００５３】
図９（ｂ）に示すように、交差ベルト部３１ｂは、基端部及び先端部に折り曲げ部３１ｃが設けられている。このため、交差ベルト部３１ｂを平行ベルト部３１ａに縫い付ける必要がなくなる。
【実施例４】
【００５４】
次に、本考案の実施例４を図面に基づいて説明する。
図１０に示すように、前のシェル１３の開口は、正面視で長方形を呈する。２本のベルト３１は、平行に並んでいる。中仕切り３３は、バックル３２を境目にして開口の短辺方向で２つに分かれている。２つに分かれた中仕切り３３を開く際の移動距離を短くできる。また、バックル３２の位置は、着脱方向で長方形の中心から一方に偏らせることで、２つに分かれた中仕切り３３を異なる大きさにできる。
【実施例５】
【００５５】
次に、本考案の実施例５を図面に基づいて説明する。
図１１に示すように、バックル３２の位置は、着脱方向で長方形の中心に位置する。ベルト３１の基端部は、前のシェル１３の開口の縁１７の横幅方向両端近傍からそれぞれ延び、ベルト３１の先端部は、１つのバックル３２に繋がっている。
【００５６】
尚、実施例では、鞄１０をスーツケースとしたが、これに限定されず、トランク、布製の鞄、革製の鞄等でもよく、鞄であれば種類は問わない。
また、実施例では、中仕切り３３の上にベルト３１を配置したが、これに限定されず、実施例とは配置順を変えてベルト３１の上に中仕切り３３を配置しても差し支えない。この場合、ベースとなるベルト３１上に中仕切り３３を重ねるだけで済み、生産性を向上させることができる。
【産業上の利用可能性】
【００５７】
本考案の鞄は、ビジネスや旅行に使用する鞄に好適である。
【符号の説明】
【００５８】
１０…  鞄（スーツケース）
１１…  後のシェル
１２…  ヒンジカバー
１３…  前のシェル
１７…  開口の縁
３０…  仕切り手段
３１…  ベルト
３２…  バックル
３３…  中仕切り
３３ａ…分かれ目
３４…  補強ボード
３６…  ベルト調整部
５１…  荷物
【図１】
0003204971.tif 000003
【図２】
0003204971.tif 000004
【図３】
0003204971.tif 000005
【図４】
0003204971.tif 000006
【図５】
0003204971.tif 000007
【図６】
0003204971.tif 000008
【図７】
0003204971.tif 000009
【図８】
0003204971.tif 000010
【図９】
0003204971.tif 000011
【図１０】
0003204971.tif 000012
【図１１】
0003204971.tif 000013
【図１２】
0003204971.tif 000014
【図１３】
0003204971.tif 000015
【手続補正書】
【提出日】平成28年4月22日(2016.4.22)
【手続補正１】
【補正対象書類名】実用新案登録請求の範囲
【補正対象項目名】請求項２
【補正方法】変更
【補正の内容】
【請求項２】
前記中仕切りは、前記ベルトに一体に縫い付けられていることを特徴とする請求項１記載の鞄。